(57)【特許請求の範囲】
【請求項１】
複数のラベルが仮着された帯状台紙を剥離部材で転向搬送して前記帯状台紙から前記ラベルを剥離させ、該剥離されたラベルを移送手段で移送して被貼付物に繰り出しラベル先端を前記被貼付物に当接させると共に、押圧手段でラベルを介して前記被貼付物に押圧することによりラベルを貼付するラベル貼付装置に於いて、
前記移送手段は、
前記剥離部材の近傍に設けられた第１のローラと、
前記押圧手段の近傍に設けられた第２のローラと、
前記第１のローラと第２のローラとの間に掛け渡された複数の丸ベルトと、
前記剥離されたラベルを前記丸ベルトの下面に吸引保持する吸引手段と、
前記丸ベルトを回転駆動し、前記吸引保持されたラベルを前記被貼付物側へ移送する駆動源と、
前記丸ベルトの下面から前記吸引手段に吸引されるエアの流れを抑制し、多数の通気孔を有する板状の整流板と、を備え、
前記複数の丸ベルトにおける一側から所定本数範囲に対応する箇所に前記整流板を配設し、前記複数の丸ベルトにおける他側から残り本数範囲に対応する箇所には前記整流板を配設しないように構成し、
前記ラベルのうち小さな面積のラベルを前記移送手段で移送する場合には、前記整流板が配設されていない前記他側寄りの前記丸ベルトの下面部分にラベルを吸着させることを特徴とするラベル貼付装置。
【発明の詳細な説明】
【０００１】
【発明の属する技術分野】
本発明はラベル貼付装置に係り、特に帯状台紙から剥離されたラベルを複数の丸ベルト又は多孔ベルトの下面に吸着させて移送し被貼付物に貼付するラベル貼付装置に関する。
【０００２】
【従来の技術】
この種のラベル貼付装置は、一対のローラと一対のローラ間に掛け渡された複数の丸ベルト又は多孔ベルトとファンとを備えている。帯状台紙から剥離されたラベルは、ファンの吸引作用によってベルトの下面に吸着され、ベルトに吸着されたラベルは、ベルトを回転駆動することによって、ベルトに吸着された状態で前記一対のローラ間を移送される。ローラ間を移送されたラベルは、被貼付物に繰り出されラベル先端が前記被貼付物に当接されると共に、押圧手段で被貼付物に押圧されて貼付される。
【０００３】
【発明が解決しようとする課題】
しかしながら、従来のこの種のラベル貼付装置では、前記ベルトの吸着範囲は最大のラベルに対応しているため、小さいラベルを吸着させる際には、ベルトのラベルが吸着していない部分を抜けるエアが多く吸着力が低下するので、ラベルがベルトの下面に保持されずに落下するという問題があった。
【０００４】
また、落下しないまでもラベルが安定して吸着されないと、ラベルを被貼付物の所定の位置に精度よく貼付することができない。このため、小さいラベルを吸着させるために、ベルトのラベルが吸着されない部分のエアの流れを遮蔽する遮蔽板を取り付けるという方法もあるが、大きいラベルを吸着させる場合にこの遮蔽板が邪魔になり好ましくない。
【０００５】
本発明は、このような事情に鑑みてなされたもので、様々なサイズのラベルをベルトに確実に吸着させ、被貼付物の所定の位置に精度よく貼付することができるラベル貼付装置を提供することを目的とする。
【０００６】
【課題を解決するための手段】
本発明は、前記目的を達成する為に、複数のラベルが仮着された帯状台紙を剥離部材で転向搬送して前記帯状台紙から前記ラベルを剥離させ、該剥離されたラベルを移送手段で移送して被貼付物に繰り出しラベル先端を前記被貼付物に当接させると共に、押圧手段でラベルを介して前記被貼付物に押圧することによりラベルを貼付するラベル貼付装置に於いて、前記移送手段は、前記剥離部材の近傍に設けられた第１のローラと、前記押圧手段の近傍に設けられた第２のローラと、前記第１のローラと第２のローラとの間に掛け渡された複数の丸ベルトと、前記剥離されたラベルを前記丸ベルトの下面に吸引保持する吸引手段と、前記丸ベルトを回転駆動し、前記吸引保持されたラベルを前記被貼付物側へ移送する駆動源と、前記丸ベルトの下面から前記吸引手段に吸引されるエアの流れを抑制し、多数の通気孔を有する板状の整流板と、を備え、前記複数の丸ベルトにおける一側から所定本数範囲に対応する箇所に前記整流板を配設し、前記複数の丸ベルトにおける他側から残り本数範囲に対応する箇所には前記整流板を配設しないように構成し、前記ラベルのうち小さな面積のラベルを前記移送手段で移送する場合には、前記整流板が配設されていない前記他側寄りの前記丸ベルトの下面部分にラベルを吸着させることを特徴とする。
以上
【０００７】
本発明によれば、帯状台紙から剥離されたラベルは、移送手段により被貼付物側に移送される。この移送において、ラベルは、丸ベルトの下面から吸引手段に向かって吸引される吸引エアによって丸ベルトの下面に吸引保持される。この時、丸ベルトの下面のうち、多数の通気孔を有する整流板が配設された下面部分は整流板が配設されていない下面部分よりも吸引手段によるエアの抜けが少ない。従って、ラベルのうち小さな面積のラベルを移送手段で移送する場合には、整流板が配設されてない丸ベルトの下面部分にラベルを吸着させれば、ラベルが吸着されていない下面部分のエアの抜けを整流板で抑制することができるので、吸引手段の吸着力が大幅に低下することがない。従って、小さな面積のラベルの場合でも丸ベルトの下面に確実に吸着保持することができる。
【０００８】
一方、大きな面積のラベルの場合には、整流板が配設された下面部分と整流板が配設されていない下面部分の両方に吸着保持される。この時、整流板が配設された下面部分の吸着力は整流板が配設されていない下面部分の吸着力よりも多少小さくなるが、整流板に多数の孔を設けて吸引力を発生させているので、大きなラベルの場合も丸ベルトの下面に確実に吸着保持することができる。被貼付物側へ達したラベルは、被貼付物に繰り出されラベル先端が被貼付物に当接されると共に、押圧手段で被貼付物に押圧されて貼付される。前述のようにラベルが丸ベルトの下面に確実に吸着されることによって、ラベルを被貼付物の所定の位置に精度よく貼付することができる。
【０００９】
【発明の実施の形態】
以下添付図面に従って本発明に係るラベル貼付装置の好ましい実施の形態について詳説する。
図１は、本発明のラベル貼付装置１０の全体構成図である。
同図に示すように、ラベル貼付装置１０は、主として、多数のラベル１７が所定のピッチで仮着された（図３参照）帯状台紙１６をロール状に巻回する供給リール１２と、ラベル１７に印字を行う印字部１８と、印字されたラベル１７を帯状台紙１６から１枚ずつ剥離させる剥離板１４と、剥離されたラベル１７を移送する移送部２０と、移送されたラベル１７を被貼付物２２に押圧して貼付する押圧ローラ６０と、ラベル１７が剥離された帯状台紙１６を巻き取る巻取リール２６とから構成される。そして、供給リール１２に巻回された帯状台紙１６は、搬送路に繰り出され、ガイドローラ２８ａに係合しながら印字部１８に搬送される。一方、インクリボン用供給リール３０に巻回されたインクリボン３２も、印字部１８へ搬送される。印字部１８に搬送された帯状台紙１６とインクリボン３２は、印字部１８の印字ヘッド３４とプラテンローラ３６とに挟持されてラベル１７の所定位置に必要な印字が施される。プラテンローラ３６は図示しない回転駆動源に連結され、帯状台紙１６を搬送する。
【００１０】
印字されたラベル１７は帯状台紙１６の搬送移動により剥離板１４に搬送され、インクリボン３２はインクリボン用巻取リール３８に巻き取られる。
前記剥離板１４は先端が鋭角状に形成され、ラベル１７が仮着された帯状台紙１６が剥離板１４の先端で転向搬送されることにより、帯状台紙１６よりも剛性の大きなラベル１７は、帯状台紙１６から剥離されて移送部２０へ繰り出される。ラベル１７が剥離された帯状台紙１６はガイドローラ２８ｂに係合しながら巻取リール２６に巻き取られ、インクリボン３２はインクリボン用巻取リール３８に巻き取られる。巻取リール２６の回転軸は、図示しない回転駆動源に連結されており、回転駆動源の駆動力によって帯状台紙１６を巻き取る。
【００１１】
前記移送部２０は、駆動ローラ４２と従動ローラ４４と複数の丸ベルト４０、４０、…とステッピングモータ４８とファン５０とで構成される。
駆動ローラ４２と従動ローラ４４とは、図２に示すように、フード状に形成されたケーシングの後面板５２と前面板５４との間に回転自在に支持され、駆動ローラ４２と従動ローラ４４との間には、複数の丸ベルト４０、４０、…が等間隔で巻き掛けられる。尚、複数の丸ベルト４０の代わりに多孔ベルトを使用してもよい。
【００１２】
前記駆動ローラ４２は、図１に示すように、タイミングベルト４６を介してステッピングモータ４８に連結され、前記丸ベルト４０はステッピングモータ４８によって図上矢印方向に間欠的に回転駆動される。
前記駆動ローラ４２の近傍には、ローラ５６が丸ベルト４０に転接して設けられる。ローラ５６は丸ベルト４０の回転に従動して回転し、帯状台紙１６から剥離されて移送部２０へ繰り出されたラベル１７は、丸ベルト４０とローラ５６とに挟持される。
【００１３】
前記ステッピングモータ４８の上方にはファン５０が設けられ、丸ベルト４０とローラ５６とに挟持されたラベル１７は、ファン５０の吸引作用によって丸ベルト４０の下面に吸着され、丸ベルト４０の回転によって図上矢印方向に移送される。
前記駆動ローラ４２と従動ローラ４４との間には、整流板８０が丸ベルト４０に沿って設けられる。この整流板８０は、図２に示すように、多数の通気孔８２、８２、…を有する。この整流板８０の図上下端部は前面板５４に沿う方向に折曲され、前面板５４に一対のボルト８４、８４で固定されている。
【００１４】
前記従動ローラ４４の近傍には、挟持ローラ５８が丸ベルト４０に転接して設けられ、丸ベルト４０の回転に従動して回転する。従動ローラ４４に達したラベル１７は、丸ベルト４０と挟持ローラ５８とに挟持された状態で、別設のコンベヤ２１で搬送されてきた被貼付物２２へ繰り出され、ラベル１７の先端が被貼付物２２へ当接される。
【００１５】
被貼付物２２へ繰り出されたラベル１７は、押圧ローラ６０によって被貼付物２２に押圧されて貼付される。押圧ローラ６０は回動板６２の先端部に取り付けられ、この回動板６２は回動軸６４を支点として回動自在である。この回動板６２の末端にはスプリング６６の一端が取り付けられ、スプリング６６の他端はピン６８に固定される。これにより、回動板６２はスプリング６６によって時計回り方向に付勢される。
【００１６】
前記駆動ローラ４２と従動ローラ４４との間にはセンサ７２が設けられ、移送されるラベル１７の先端を検知する。ラベル１７の先端がセンサ７２で検知されると、該検知信号が貼付タイミング信号として貼付部２４に送られ、そのタイミングに応じて押圧ローラ６０がラベル１７を被貼付物２２に貼付する。
次に、上記の如く構成されたラベル貼付装置１０の作用について説明する。
【００１７】
剥離板１４で帯状台紙１６から剥離されたラベル１７は、移送部２０へ繰り出され、丸ベルト４０とローラ５６とに挟持される。丸ベルト４０とローラ５６とに挟持されたラベル１７は、ファン５０の吸引作用によって丸ベルト４０の下面に吸着され、ステッピングモータ４８の回転駆動によって、丸ベルト４０の回転と共に図上矢印方向に移送される。この時、図２に示すように、最大のラベル１７ａは両端に位置する丸ベルト４０間に吸着され、最小のラベル１７ｂは図上上端に位置する丸ベルト４０と整流板８０の図上上端との間に吸着される。この時、丸ベルト４０の下面のうち、最小のラベル１７ｂが吸着された下面部分は最小のラベル１７ｂが吸着されない下面部分よりもファン５０の吸引作用によるエアの抜けが少ない。従って、最小のラベル１７ｂを移送する場合には、最小のラベル１７ｂが吸着されていない下面部分のエアの抜けを整流板８０で抑制することができるので、ファン５０の吸着力が大幅に低下することがない。従って、最小のラベル１７ｂの場合でも丸ベルト４０の下面に確実に吸着保持することができる。一方、最大のラベル１７ａを移送する場合には、整流板８０が配設された下面部分の吸着力は整流板８０が配設されていない下面部分の吸着力よりも多少小さくなるが、整流板８０に多数の通気孔８２を設けて吸引力を発生させているので、最大のラベル１７ａの場合も丸ベルト４０の下面に確実に吸着保持することができる。このようにして、最小から最大まであらゆるサイズのラベル１７が確実に丸ベルト４０の下面に吸着される。
【００１８】
被貼付物２２の近傍に達したラベル１７は、丸ベルト４０と挟持ローラ５８とに挟持された状態で被貼付物２２へ繰り出され、ラベル１７の先端が被貼付物２２へ当接される。被貼付物２２へ繰り出されたラベル１７は、押圧ローラ６０によってコンベヤ２１で搬送されてきた被貼付物２２に押圧されて貼付される。この時、前述したように、あらゆるサイズのラベル１７が安定して丸ベルト４０の下面に吸着されることによって、ラベル１７を被貼付物２２の所定の位置に精度よく貼付することができる。
【００１９】
【発明の効果】
以上説明したように、本発明のラベル貼付装置によれば、丸ベルトの下面から吸引手段に吸引されるエアの流れを部分的に遮る、多数の通気孔を有する板状の整流板を備えたことによって、丸ベルトの下面のうち、多数の通気孔を有する整流板が配設された下面部分は整流板が配設されていない下面部分よりも吸引手段によるエアの抜けが少ない。従って、ラベルのうち小さな面積のラベルを移送手段で移送する場合には、ラベルが吸着されていない下面部分のエアの抜けを整流板で抑制することができるので、吸引手段の吸着力が大幅に低下することがなく、丸ベルトの下面に確実に吸着保持することができる。一方、大きな面積のラベルの場合には、整流板に多数の通気孔を設けて吸引力を発生させているので、丸ベルトの下面に確実に吸着保持することができる。前述のようにラベルが丸ベルトの下面に確実に吸着されることによって、ラベルを被貼付物の所定の位置に精度よく貼付することができる。
【図面の簡単な説明】
【図１】ラベル貼付装置の全体構成図
【図２】図１のラベル貼付装置の移送部の上面図
【図３】ラベルが仮着された帯状台紙の詳細を説明する説明図
【符号の説明】
１０…ラベル貼付装置
１４…剥離板
１６…帯状台紙
１７…ラベル
１７ａ…最大ラベル
１７ｂ…最小ラベル
２０…移送部
２２…被貼付物
４０…丸ベルト
４２…駆動ローラ
４４…従動ローラ
４８…ステッピングモータ
６０…押圧ローラ
８０…整流板
８２…通気孔
【図１】
0004167327.tif 000002
【図２】
0004167327.tif 000003
【図３】
0004167327.tif 000004